【手続補正書】
【提出日】平成19年7月31日(2007.7.31)
【手続補正１】
【補正対象書類名】特許請求の範囲
【補正対象項目名】全文
【補正方法】変更
【補正の内容】
【特許請求の範囲】
【請求項１】
原料ガスを水素リッチな燃料ガスに改質する改質器（２）と、
該燃料ガス中の水素と空気中の酸素を用いて直流電力を発電する燃料電池（３）と、
該燃料電池で発電した直流電力を交流電力に変換して商用電力系統（６）と連系運転を行なうインバータ（４）と、
前記燃料電池による発電プロセスにて発生した排熱を利用して冷水を温水に変える熱交換器（７）と、
該熱交換器により温水とされた水を給湯のために貯湯する貯湯槽（８）と、
該貯湯槽内の水を循環水として前記熱交換器にて熱交換させた後再び貯湯槽に回帰させるための貯湯水循環路（１０）と、
該貯湯水循環路に循環水を循環させるために貯湯槽から前記熱交換器に至る間の貯湯水循環路途中に取り付けた循環ポンプ（９）と、
前記熱交換器から貯湯槽に至る間の前記貯湯水循環路途中に設けた補助貯湯槽（２０）と、
前記交流電力を電源として補助貯湯槽内の水を加熱する電気ヒータ（１２）及び該電気ヒータへの電力投入量操作装置（２１）と、
を備えることを特徴とする燃料電池コジェネレーションシステム。
【請求項２】
請求項１に記載の燃料電池コジェネレーションシステムであって、前記電気ヒータへの供給電力を制御する制御装置（１８）を更に備え、該制御装置は前記商用電力系統から本システムと本システムに負荷として接続された電力負荷（５）とが受ける受電電力（Ｐｒ）が所定値以下にならないように前記電力投入量操作装置に操作信号を与えて前記電気ヒータへの供給電力を制御することを特徴とする燃料電池コジェネレーションシステム。
【請求項３】
請求項１又は２に記載の燃料電池コジェネレーションシステムであって、前記制御装置は、前記インバータ出力端子と商用電力系統とを結ぶ電源線（１５）の途中から給電される電力負荷（５）の消費電力（ＰＬ）からインバータの出力電力（Ｐｇ）を引いた不足電力（Ｐｓ）の一定周期（ｔ）内の平均値（Ｐsm＝ＰＬm −Ｐgm）に、前記給湯温水の温度を通常よりも高くする要求に応えて同じ周期内に前記電気ヒータに投入した電力の平均値（Ｎｍ・Ｐｗ）を加えた電力（ΔＰgm）が第１の所定値（Ｐs2）より大きかったときは発電電力（Ｐｇ）を増加させ、第１の所定値（Ｐs2）より小さい第２の所定値（Ｐs3）より小さかったときは発電電力（Ｐｇ）を減少させる制御を行なうことを特徴とする燃料電池コジェネレーションシステム。
【請求項４】
請求項１乃至３の何れかに記載の燃料電池コジェネレーションシステムであって、前記電力投入量操作装置は、前記電気ヒータへの投入電力値を指示するヒータ電力指示値を操作信号として受け、電気ヒータへの投入電力を該ヒータ電力指示値に一致させる制御を行なうように構成されており、
前記制御装置は、該電力投入量操作装置への操作信号をヒータ電力指示値の形で与えることを特徴とする燃料電池コジェネレーションシステム。
【請求項５】
請求項１に記載の燃料電池コジェネレーションシステムであって、前記熱交換器から補助貯湯槽に至る間の前記貯湯水循環路の途中にあって熱交換器を通った循環水を補助貯湯槽と前記循環ポンプの入側に切り換える三方弁（２６）と、前記熱交換器を出た循環水の温度を検出する温度センサ（２４）を更に備え、
前記制御装置は、該温度センサで検出された温度が第１の所定温度（Ｔ１）以下の場合には前記熱交換器を通った循環水が前記循環ポンプの入側に流れるように三方弁を切り換え、該状態において該温度センサで検出された温度が前記第１の所定温度（Ｔ１）より高い第２の所定温度（Ｔ２）以上に戻った場合には循環水が前記補助貯湯槽に流れるように前記三方弁を切り換えることを特徴とする燃料電池コジェネレーションシステム。
【手続補正２】
【補正対象書類名】明細書
【補正対象項目名】００１４
【補正方法】削除
【補正の内容】
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】変更
【補正の内容】
【００１６】
また、請求項３に記載の発明は、請求項１又は２に記載の燃料電池コジェネレーションシステムであって、前記制御装置は、前記インバータ出力端子と商用電力系統とを結ぶ電源線（１５）の途中から給電される電力負荷（５）の消費電力（ＰＬ）からインバータの出力電力（Ｐｇ）を引いた不足電力（Ｐｓ）の一定周期（ｔ）内の平均値（Ｐsm＝ＰＬm −Ｐgm）に、前記給湯温水の温度を通常よりも高くする要求に応えて同じ周期内に前記電気ヒータに投入した電力の平均値（Ｎｍ・Ｐｗ）を加えた電力（ΔＰgm）が第１の所定値（Ｐs2）より大きかったときは発電電力（Ｐｇ）を増加させ、第１の所定値（Ｐs2）より小さい第２の所定値（Ｐs3）より小さかったときは発電電力（Ｐｇ）を減少させる制御を行なうことを特徴とする。
【手続補正５】
【補正対象書類名】明細書
【補正対象項目名】００１８
【補正方法】変更
【補正の内容】
【００１８】
また、請求項４に記載の発明は、請求項１乃至３の何れかに記載の燃料電池コジェネレーションシステムであって、前記電力投入量操作装置は、前記電気ヒータへの投入電力値を指示するヒータ電力指示値を操作信号として受け、電気ヒータへの投入電力を該ヒータ電力指示値に一致させる制御を行なうように構成されており、前記制御装置は、該電力投入量操作装置への操作信号をヒータ電力指示値の形で与えることを特徴とする。
【手続補正６】
【補正対象書類名】明細書
【補正対象項目名】００２０
【補正方法】削除
【補正の内容】
【手続補正７】
【補正対象書類名】明細書
【補正対象項目名】００２１
【補正方法】削除
【補正の内容】
【手続補正８】
【補正対象書類名】明細書
【補正対象項目名】００２２
【補正方法】削除
【補正の内容】
【手続補正９】
【補正対象書類名】明細書
【補正対象項目名】００２３
【補正方法】削除
【補正の内容】
【手続補正１０】
【補正対象書類名】明細書
【補正対象項目名】００２４
【補正方法】削除
【補正の内容】
【手続補正１１】
【補正対象書類名】明細書
【補正対象項目名】００２５
【補正方法】削除
【補正の内容】
【手続補正１２】
【補正対象書類名】明細書
【補正対象項目名】００２６
【補正方法】変更
【補正の内容】
【００２６】
また、請求項５に記載の発明は、請求項１に記載の燃料電池コジェネレーションシステムであって、前記熱交換器から補助貯湯槽に至る間の前記貯湯水循環路の途中にあって熱交換器を通った循環水を補助貯湯槽と前記循環ポンプの入側に切り換える三方弁（２６）と、前記熱交換器を出た循環水の温度を検出する温度センサ（２４）を更に備え、前記制御装置は、該温度センサで検出された温度が第１の所定温度（Ｔ１）以下の場合には前記熱交換器を通った循環水が前記循環ポンプの入側に流れるように三方弁を切り換え、該状態において該温度センサで検出された温度が前記第１の所定温度（Ｔ１）より高い第２の所定温度（Ｔ２）以上に戻った場合には循環水が前記補助貯湯槽に流れるように前記三方弁を切り換えることを特徴とする。
【手続補正１３】
【補正対象書類名】明細書
【補正対象項目名】００２８
【補正方法】削除
【補正の内容】
【手続補正１４】
【補正対象書類名】明細書
【補正対象項目名】００２９
【補正方法】削除
【補正の内容】
【手続補正１５】
【補正対象書類名】明細書
【補正対象項目名】００３０
【補正方法】削除
【補正の内容】
【手続補正１６】
【補正対象書類名】明細書
【補正対象項目名】００３１
【補正方法】削除
【補正の内容】
【手続補正１７】
【補正対象書類名】明細書
【補正対象項目名】００３２
【補正方法】削除
【補正の内容】
【手続補正１８】
【補正対象書類名】明細書
【補正対象項目名】００３３
【補正方法】削除
【補正の内容】